(57)【特許請求の範囲】
【請求項１】
横電界方式で表示動作が行われるとともに、反射表示領域と透過表示領域とが１画素内に設けられた半透過型の液晶表示装置であって、
液晶層を挟んで互いに対向するように配置された第１基板および第２基板と、
前記第１基板の前記液晶層側の表面上に形成された第１電極と、
絶縁膜を介して前記第１電極の前記液晶層側の表面上に形成され、前記液晶層の液晶分子の配向を制御するためのスリットを有しているとともに、前記第１電極との間で電界を発生させて前記液晶層の液晶分子を駆動する第２電極と、
前記第２基板の前記液晶層側の表面上に形成され、反射表示用の第１カラーフィルタ層と透過表示用の第２カラーフィルタ層とを含んでいるとともに、前記第１カラーフィルタ層と前記第２カラーフィルタ層との境界部は、前記第１カラーフィルタ層と前記第２カラーフィルタ層とが重なり、前記液晶層側に突出する段差状になっているカラーフィルタと、
を備え、
平面的に見た場合に、前記カラーフィルタの段差状の境界部は、対向する前記絶縁膜上に前記第２電極が形成される領域の範囲内において、前記第２電極のスリットのエッジと重ならない位置に設けられる、
液晶表示装置。
【請求項２】
平面的に見た場合に、前記第２電極の隣接するスリット間の当該スリットが形成されていない部分内に、前記カラーフィルタの段差状の境界部が納まっている、請求項１に記載の液晶表示装置。
【請求項３】
前記第２電極のスリットの長辺方向に対応する前記隣接するスリット間の中心と前記カラーフィルタの段差状の境界部の中心とが互いに一致し、かつ前記スリットの長辺方向の直交する方向に対応する前記隣接するスリット間の間隔は、前記カラーフィルタの段差状の境界部の幅よりも大きい、請求項２に記載の液晶表示装置。
【請求項４】
平面的に見た場合に、前記第２電極のスリットの開口内に、前記カラーフィルタの段差状の境界部が納まっている、請求項１に記載の液晶表示装置。
【請求項５】
前記第２電極のスリットの長辺方向に対応する前記スリットの開口の中心と前記カラーフィルタの段差状の境界部の中心とが互いに一致し、かつ前記スリットの長辺方向の直交方向に対応する前記スリットの開口幅は、前記カラーフィルタの段差状の境界部の幅よりも大きい、請求項４に記載の液晶表示装置。
【請求項６】
前記第２電極のスリットは、前記反射表示領域に対応する領域および前記透過表示領域に対応する領域の各々に複数個ずつ配置され、
前記反射表示領域に対応する領域および前記透過表示領域に対応する領域の各々に配置された前記第２電極の複数個のスリットは、所定数のスリットをそれぞれ含む２つ以上のスリット群に分類されており、
前記反射表示領域に対応する領域および前記透過表示領域に対応する領域の各々において、前記第２電極のスリットの平面的に見た場合の傾斜方向は、前記スリット群間で互いに異なっている、請求項１〜５のいずれかに記載の液晶表示装置。
【請求項７】
前記第２電極の前記スリットは、平面的に見て前記カラーフィルタの段差状の境界部が延びる方向に対して傾斜する第１スリットと、平面的に見て前記カラーフィルタの段差状の境界部が延びる方向に沿って延びる第２スリットとを含んでおり、
平面的に見た場合に、前記第２電極の第２スリットの開口内に、前記カラーフィルタの段差状の境界部が納まっている、請求項１に記載の液晶表示装置。
【請求項８】
前記カラーフィルタの段差状の境界部は、前記反射表示領域と前記透過表示領域との境界よりも前記反射表示領域側に配置されている、請求項１〜７のいずれかに記載の液晶表示装置。
【発明の詳細な説明】
【技術分野】
【０００１】
本発明は、液晶表示装置に関し、特に、横電界方式で表示動作が行われるとともに、反
射表示領域と透過表示領域とが１画素内に設けられた半透過型の液晶表示装置に関する。
【背景技術】
【０００２】
従来、反射表示領域および透過表示領域の２つの表示領域が設けられた画素を複数含む
半透過型の液晶表示装置が知られている（たとえば、特許文献１参照）。さらに、従来で
は、液晶層内に発生させた横電界により液晶分子を駆動して表示動作を行う横電界方式を
採用した液晶表示装置も知られている。
【０００３】
図１０は、従来の横電界方式を採用した半透過型の液晶表示装置の構造の一例を簡略的
に示した断面図である。まず、図１０を参照して、従来の横電界方式を採用した半透過型
の液晶表示装置の構造について説明する。
【０００４】
従来の横電界方式を採用した半透過型の液晶表示装置は、図１０に示すように、反射表
示領域１００ａおよび透過表示領域１００ｂの２つの表示領域が設けられた画素を複数含
んでいる。なお、図１０には、１画素分の構造を図示している。
【０００５】
具体的な構造としては、従来の液晶表示装置は、液晶層１０１と、その液晶層１０１を
挟んで互いに対向するように配置されたＴＦＴ基板１０２およびＣＦ基板１０３とを少な
くとも備えている。なお、図示しないが、ＴＦＴ基板１０２には、薄膜トランジスタ（Ｔ
ＦＴ）などが設けられている。
【０００６】
また、ＴＦＴ基板１０２の前面側（液晶層１０１側）の表面上には、液晶層１０１の液
晶分子を駆動する横電界を発生させるための液晶駆動電極１０４が形成されている。この
液晶駆動電極１０４は、図示しないが、共通電極と、その共通電極の前面側の表面上に層
間絶縁膜を介して形成された画素電極とを含んでいる。そして、表示動作の際には、液晶
層１０１の液晶分子は、液晶駆動電極１０４に含まれる共通電極と画素電極との間に発生
する電界Ｅによって駆動される。また、ＴＦＴ基板１０２の前面側の表面上の反射表示領
域１００ａに対応する領域には、液晶層１０１に入射した光を反射するための反射膜１０
５が形成されている。
【０００７】
また、ＣＦ基板１０３は、所定の基板１０６や、その基板１０６の背面側（液晶層１０
１側）の表面上に形成されたカラー画像の表示を行うためのカラーフィルタ（ＣＦ）１０
７などによって構成されている。カラーフィルタ１０７は、反射表示に適したカラーフィ
ルタ層１０７ａと、そのカラーフィルタ層１０７ａよりも色が濃くなるように着色された
透過表示に適したカラーフィルタ層１０７ｂとを含んでいる。
【０００８】
上記のようなカラーフィルタ１０７を用いた従来の構成では、表示光Ｌ１０１がカラー
フィルタ１０７（カラーフィルタ層１０７ａ）を２回通過する反射表示と、表示光Ｌ１０
２がカラーフィルタ１０７（カラーフィルタ層１０７ｂ）を１回のみ通過する透過表示と
で見栄えを揃えることが可能となる。
【０００９】
【特許文献１】特開２００７−４７８３３号公報
【発明の開示】
【発明が解決しようとする課題】
【００１０】
図１０に示した従来の液晶表示装置では、反射表示用のカラーフィルタ層１０７ａおよ
び透過表示用のカラーフィルタ層１０７ｂの各々の端部が互いに重ねられており、その重
ねられた部分が反射表示用のカラーフィルタ層１０７ａと透過表示用のカラーフィルタ層
１０７ｂとの境界部１０７ｃとなっている。すなわち、従来の液晶表示装置では、液晶層
１０１側に向かって突出する凸部（段差状の境界部１０７ｃ）がカラーフィルタ１０７に
形成されることになる。
【００１１】
ここで、液晶層１０１側に向かって突出する凸部（段差状の境界部１０７ｃ）がカラー
フィルタ１０７に形成されると、そのカラーフィルタ１０７の凸部（段差状の境界部１０
７ｃ）が液晶分子の配向乱れの原因となる。したがって、カラーフィルタ１０７の境界部
１０７ｃに対応する領域（図１０中の破線で囲まれた領域）に位置する液晶分子が駆動さ
れると、液晶分子の配向が乱れてしまうという不都合が生じる。また、カラーフィルタ１
０７の境界部１０７ｃに対応する領域（図１０中の破線で囲まれた領域）に位置する液晶
分子が駆動されると、カラーフィルタ１０７の境界部１０７ｃから混色された表示光が出
射されてしまうという不都合も生じる。これらの結果、従来の液晶表示装置では、その表
示品位が低下するという問題点がある。
【００１２】
この発明は、上記のような課題を解決するためになされたものであり、この発明の目的
は、表示品位の低下を抑制することが可能な液晶表示装置を提供することである。
【課題を解決するための手段】
【００１３】
上記目的を達成するために、この発明の一の局面による液晶表示装置は、横電界方式で表示動作が行われるとともに、反射表示領域と透過表示領域とが１画素内に設けられた半透過型の液晶表示装置であって、液晶層を挟んで互いに対向するように配置された第１基板および第２基板と、第１基板の液晶層側の表面上に形成された第１電極と、絶縁膜を介して第１電極の液晶層側の表面上に形成され、液晶層の液晶分子の配向を制御するためのスリットを有しているとともに、第１電極との間で電界を発生させて液晶層の液晶分子を駆動する第２電極と、第２基板の液晶層側の表面上に形成され、反射表示用の第１カラーフィルタ層と透過表示用の第２カラーフィルタ層とを含んでいるとともに、第１カラーフィルタ層と第２カラーフィルタ層との境界部は、第１カラーフィルタ層と第２カラーフィルタ層とが重なり、液晶層側に突出する段差状になっているカラーフィルタとを備えている。そして、平面的に見た場合に、カラーフィルタの段差状の境界部は、対向する絶縁膜上に第２電極が形成される領域の範囲内において、第２電極のスリットのエッジと重ならない位置に設けられる。
【００１４】
この一の局面による液晶表示装置では、第２電極のスリットのエッジと、カラーフィルタの境界部とが互いに重ならないように構成することによって、液晶層の液晶分子を駆動する電界は第２電極のスリットのエッジを跨ぐように第１電極と第２電極との間に発生するので、カラーフィルタの境界部に対応する領域に液晶分子を駆動するような電界が発生するのを抑制することができる。これにより、カラーフィルタの境界部が液晶分子の配向を乱すような段差状になっていたとしても、そのカラーフィルタの境界部に対応する領域に位置する液晶分子は実質的に駆動しないので、液晶分子の配向が乱れてしまうという不都合が生じるのを抑制することができる。また、カラーフィルタの境界部に対応する領域に位置する液晶分子は実質的に駆動しないので、カラーフィルタの境界部から混色された表示光が出射されてしまうという不都合が生じるのも抑制することができる。これらの結果、液晶表示装置の表示品位が低下するのを抑制することができる。
【００１５】
上記一の局面による液晶表示装置において、平面的に見た場合に、第２電極の隣接するスリット間の当該スリットが形成されていない部分内に、カラーフィルタの段差状の境界部が納まるようにしてもよい。このように構成すれば、平面的に見た場合に、少なくとも第２電極の端部領域よりも内側の領域において、第２電極のスリットのエッジと、カラーフィルタの段差状の境界部とが互いに重なってしまうのを容易に抑制することができる。
【００１６】
この場合、好ましくは、第２電極のスリットの長辺方向に対応する隣接するスリット間の中心とカラーフィルタの段差状の境界部の中心とが互いに一致し、かつスリットの長辺方向の直交する方向に対応する隣接するスリット間の間隔は、カラーフィルタの段差状の境界部の幅よりも大きい。このように構成すれば、平面的に見た場合に、対向する絶縁膜上に第２電極が形成される領域の範囲内において、容易に、第２電極のスリットが形成されていない部分（第２電極の所定方向に隣接するスリット間の部分）内に、カラーフィルタの段差状の境界部を納めることが可能となる。
【００１７】
上記一の局面による液晶表示装置において、平面的に見た場合に、第２電極のスリットの開口内に、カラーフィルタの段差状の境界部が納まるようにしてもよい。このように構成すれば、平面的に見た場合に、対向する絶縁膜上に第２電極が形成される領域の範囲内において、第２電極のスリットのエッジと、カラーフィルタの段差状の境界部とが互いに重なってしまうのを容易に抑制することができる。
【００１８】
この場合、好ましくは、第２電極のスリットの長辺方向に対応するスリットの開口の中心とカラーフィルタの段差状の境界部の中心とが互いに一致し、かつスリットの長辺方向の直交方向に対応するスリットの開口幅は、カラーフィルタの段差状の境界部の幅よりも大きい。このように構成すれば、平面的に見た場合に、対向する絶縁膜上に第２電極が形成される領域の範囲内において、容易に、第２電極のスリットの開口内に、カラーフィルタの段差状の境界部を納めることが可能となる。
【００１９】
上記一の局面による液晶表示装置において、好ましくは、第２電極のスリットは、反射
表示領域に対応する領域および透過表示領域に対応する領域の各々に複数個ずつ配置され
、反射表示領域に対応する領域および透過表示領域に対応する領域の各々に配置された第
２電極の複数個のスリットは、所定数のスリットをそれぞれ含む２つ以上のスリット群に
分類されており、反射表示領域に対応する領域および透過表示領域に対応する領域の各々
において、第２電極のスリットの平面的に見た場合の傾斜方向は、スリット群間で互いに
異なっている。このように構成すれば、反射表示領域および透過表示領域の各々がマルチ
ドメイン構造となるので、視野角の向上を図りながら、表示品位が低下するのを抑制する
ことが可能となる。
【００２０】
上記一の局面による液晶表示装置において、第２電極のスリットは、平面的に見てカラーフィルタの段差状の境界部が延びる方向に対して傾斜する第１スリットと、平面的に見てカラーフィルタの段差状の境界部が延びる方向に沿って延びる第２スリットとを含んでおり、平面的に見た場合に、第２電極の第２スリットの開口内に、カラーフィルタの段差状の境界部が納まっていてもよい。
【００２１】
上記一の局面による液晶表示装置において、カラーフィルタの段差状の境界部は、反射
表示領域と透過表示領域との境界よりも反射表示領域側に配置されるのが好ましい。
【発明の効果】
【００２２】
以上のように、本発明によれば、表示品位の低下を抑制することが可能な液晶表示装置
を容易に得ることができる。
【発明を実施するための最良の形態】
【００２３】
（第１実施形態）
図１は、本発明の第１実施形態による液晶表示装置の構造を示した断面図である。図２
は、図１に示した第１実施形態による液晶表示装置に設けられた画素電極（第２電極）の
平面図である。まず、図１および図２を参照して、第１実施形態による液晶表示装置の構
造について説明する。なお、第１実施形態による液晶表示装置は、たとえば、携帯電話や
カーナビゲーションなどに用いられる。
【００２４】
第１実施形態の液晶表示装置は、図１に示すように、反射表示領域１０ａおよび透過表
示領域１０ｂの２つの表示領域が設けられた画素を複数含んでいる。すなわち、第１実施
形態の液晶表示装置は、半透過型の液晶表示装置である。なお、図１には、１画素分の構
造を図示している。
【００２５】
ところで、反射表示モードとは、液晶表示装置の前面側から後述する液晶層１に入射し
た外光（たとえば、太陽光など）Ｌ１を反射することによって表示を行うモードである。
その一方、透過表示モードとは、液晶表示装置の背面側から液晶層１に入射した外光（た
とえば、バックライト光など）Ｌ２を透過させることによって表示を行うモードである。
【００２６】
具体的な構造としては、第１実施形態の液晶表示装置は、液晶層１と、その液晶層１を
挟んで互いに対向するように配置された一対の透明基板２および３とを少なくとも備えて
いる。なお、透明基板２および３は、それぞれ、本発明の「第１基板」および「第２基板
」の一例である。
【００２７】
一方の透明基板２の前面側（液晶層１側）の表面上には、後述する画素電極８をスイッ
チング制御するための薄膜トランジスタ（図示せず）などが形成されている。この薄膜ト
ランジスタは、たとえば、層間絶縁膜（図示せず）によって覆われており、その層間絶縁
膜に形成されたコンタクトホール（図示せず）を介して画素電極８に接続される。
【００２８】
また、透明基板２の前面側の表面上には、液晶層１の液晶分子を駆動するための液晶駆
動電極が形成されている。この液晶駆動電極は、ＩＴＯ膜などの透明導電膜からなる共通
電極６と、その共通電極６の前面側の表面上に層間絶縁膜７を介して形成されたＩＴＯ膜
などの透明導電膜からなる画素電極８とを含んでいる。なお、共通電極６および画素電極
８は、それぞれ、本発明の「第１電極」および「第２電極」の一例である。
【００２９】
また、図１および図２に示すように、画素電極８には、液晶層１の液晶分子の配向を制
御するためのスリット８ａが複数形成されている。この画素電極８の複数のスリット８ａ
は、平面的に見て、その各々がＡ方向に沿って延びる細長形状（長方形状）に形成されて
いるとともに、Ｂ方向（Ａ方向と直交する方向）に互いに所定の間隔Ｗ１を隔てて配列さ
れている。そして、表示動作を行う際には、液晶層１の液晶分子は、画素電極８のスリッ
ト８ａのエッジ８ｂを跨ぐように共通電極６と画素電極８との間に発生する電界によって
駆動される。すなわち、第１実施形態の液晶表示装置は、液晶層１内に発生させた横電界
により液晶分子を駆動して表示動作を行う横電界方式を採用した液晶表示装置である。
【００３０】
また、図１に示すように、共通電極６の前面側の表面上の反射表示領域１０ａに対応す
る領域には、液晶層１に入射した光を反射するための反射膜５が形成されている。このよ
うな反射膜５を反射表示領域１０ａに設けることによって、液晶表示装置の前面側からの
外光Ｌ１が反射表示領域１０ａに入射すると、その外光Ｌ１が反射膜５で反射されること
になる。その一方、上記したような反射膜５は透過表示領域１０ｂには設けられていない
ので、液晶表示装置の背面側からの外光Ｌ２が透過表示領域１０ｂに入射すると、その外
光Ｌ２が透過することになる。
【００３１】
また、他方の透明基板３の背面側（液晶層１側）の表面上には、カラー画像の表示を行
うためのカラーフィルタ９が形成されている。このカラーフィルタ９は、反射表示用のカ
ラーフィルタ層９ａと透過表示用のカラーフィルタ層９ｂとを含んでいる。なお、カラー
フィルタ層９ａおよび９ｂは、それぞれ、本発明の「第１カラーフィルタ層」および「第
２カラーフィルタ層」の一例である。
【００３２】
この反射表示用のカラーフィルタ層９ａおよび透過表示用のカラーフィルタ層９ｂの各
々の色は、その濃さが互いに異なっている。具体的には、反射表示用のカラーフィルタ層
９ａおよび透過表示用のカラーフィルタ層９ｂは、それぞれ、透過表示用のカラーフィル
タ層９ｂの色が反射表示用のカラーフィルタ層９ａの色よりも濃くなるように着色されて
いる。なお、透過表示用のカラーフィルタ層９ｂの色を反射表示用のカラーフィルタ層９
ａの色よりも濃くしたのは、表示光としての外光Ｌ１がカラーフィルタ９（カラーフィル
タ層９ａ）を２回通過する反射表示と、表示光としての外光Ｌ２がカラーフィルタ９（カ
ラーフィルタ層９ｂ）を１回のみ通過する透過表示とで見栄えを揃えるためである。
【００３３】
また、図１および図２に示すように、反射表示用のカラーフィルタ層９ａと透過表示用
のカラーフィルタ層９ｂとの境界部９ｃは、Ａ方向に沿って延びているとともに、液晶層
１側に向かって突出する段差状となっている。すなわち、反射表示用のカラーフィルタ層
９ａの透過表示領域１０ｂ側の端部９ｄと、透過表示用のカラーフィルタ層９ｂの反射表
示領域１０ａ側の端部９ｅとが互いに重なり合っている。なお、第１実施形態では、カラ
ーフィルタ９の段差状の境界部９ｃは、反射表示領域１０ａと透過表示領域１０ｂとの境
界よりも反射表示領域１０ａ側に配置されている。
【００３４】
ここで、第１実施形態では、平面的に見た場合に、画素電極８の端部領域よりも内側の
領域（図２中の破線で囲まれている領域）において、画素電極８のスリット８ａのエッジ
８ｂと、カラーフィルタ９の段差状の境界部９ｃとが互いに重ならないように構成されて
いる。
【００３５】
具体的には、第１実施形態では、画素電極８の隣接するスリット８ａ間のＢ方向の間隔
Ｗ１が、カラーフィルタ９の段差状の境界部９ｃのＢ方向の幅Ｗ２よりも大きくなってい
る。そして、平面的に見た場合に、画素電極８の端部領域よりも内側の領域（図２中の破
線で囲まれている領域）において、画素電極８の隣接するスリット８ａ間の部分（画素電
極８のスリット８ａが形成されていない部分）８ｃ内に、カラーフィルタ９の段差状の境
界部９ｃが納まっている。さらに、第１実施形態では、平面的に見た場合に、画素電極８
の隣接するスリット８ａ間の部分（画素電極８のスリット８ａが形成されていない部分）
８ｃのＢ方向の中心と、カラーフィルタ９の段差状の境界部９ｃのＢ方向の中心とが互い
に一致している。
【００３６】
なお、図示しないが、配向膜は、液晶層１の前面側および背面側の各々に設けられてい
る。
【００３７】
図３および図４は、本発明の第１実施形態による液晶表示装置の表示動作を説明するた
めの模式図である。次に、図３および図４を参照して、第１実施形態による液晶表示装置
の表示動作について説明する。
【００３８】
まず、図３の状態から液晶駆動電極（共通電極６および画素電極８）に対して駆動電圧
を印加すると、図４に示すように、共通電極６と画素電極８との間に電界Ｅが発生する。
これにより、共通電極６と画素電極８との間に発生した電界Ｅによって液晶層１の液晶分
子１ａが駆動される。
【００３９】
この際、液晶層１の液晶分子１ａを駆動する電界Ｅは、画素電極８のスリット８ａのエ
ッジ８ｂを跨ぐように共通電極６と画素電極８との間に発生する。したがって、画素電極
８のスリット８ａが形成されていない部分８ｃの中央部に対応する領域（図４中の破線で
囲まれた領域）や画素電極８のスリット８ａの中央部に対応する領域には、液晶分子１ａ
を駆動するような電界Ｅが実質的に発生しない。すなわち、カラーフィルタ９の段差状の
境界部９ｃに対応する領域（図４中の破線で囲まれた領域）では、液晶分子１ａが実質的
に駆動しない。
【００４０】
第１実施形態では、上記のように、平面的に見た場合に、少なくとも画素電極８の端部
領域よりも内側の領域において、画素電極８のスリット８ａのエッジ８ｂと、カラーフィ
ルタ９の境界部９ｃとが互いに重ならないように構成することによって、液晶層１の液晶
分子１ａを駆動する電界Ｅは画素電極８のスリット８ａのエッジ８ｂを跨ぐように共通電
極６と画素電極８との間に発生するので、カラーフィルタ９の境界部９ｃに対応する領域
に液晶分子１ａを駆動するような電界Ｅが発生するのを抑制することができる。これによ
り、カラーフィルタ９の境界部９ｃが液晶分子１ａの配向を乱すような段差状になってい
たとしても、そのカラーフィルタ９の境界部９ｃに対応する領域に位置する液晶分子１ａ
は実質的に駆動しないので、液晶分子１ａの配向が乱れてしまうという不都合が生じるの
を抑制することができる。また、カラーフィルタ９の境界部９ｃに対応する領域に位置す
る液晶分子１ａは実質的に駆動しないので、カラーフィルタ９の境界部９ｃから混色され
た表示光が出射されてしまうという不都合が生じるのも抑制することができる。これらの
結果、液晶表示装置の表示品位が低下するのを抑制することができる。
【００４１】
また、第１実施形態では、上記のように、平面的に見た場合に、画素電極８の端部領域
よりも内側の領域において、画素電極８の隣接するスリット８ａ間の部分（画素電極８の
スリット８ａが形成されていない部分）８ｃ内に、カラーフィルタ９の段差状の境界部９
ｃが納まるように構成することによって、平面的に見た場合に、画素電極８の端部領域よ
りも内側の領域において、画素電極８のスリット８ａのエッジ８ｂと、カラーフィルタ９
の段差状の境界部９ｃとが互いに重なってしまうのを容易に抑制することができる。
【００４２】
また、第１実施形態では、上記のように、画素電極８の隣接するスリット８ａ間のＢ方
向の間隔Ｗ１を、カラーフィルタ９の段差状の境界部９ｃのＢ方向の幅Ｗ２よりも大きく
することによって、平面的に見た場合に、少なくとも画素電極８の端部領域よりも内側の
領域において、容易に、画素電極８のＢ方向に隣接するスリット８ａ間の部分（画素電極
８のスリット８ａが形成されていない部分）８ｃ内に、カラーフィルタ９の段差状の境界
部９ｃを納めることが可能となる。
【００４３】
図５は、第１実施形態の変形例による液晶表示装置に設けられた画素電極（第２電極）
の平面図である。次に、図５を参照して、第１実施形態の変形例による液晶表示装置の構
造について説明する。
【００４４】
第１実施形態の変形例では、図５に示すように、画素電極８のスリット８ａのＢ方向の
開口幅Ｗ３が、カラーフィルタ９の段差状の境界部９ｃのＢ方向の幅Ｗ２よりも大きくな
っている。そして、平面的に見た場合に、画素電極８の端部領域よりも内側の領域（図５
中の破線で囲まれている領域）において、画素電極８のスリット８ａの開口内に、カラー
フィルタ９の段差状の境界部９ｃが納まっている。さらに、第１実施形態の変形例では、
平面的に見た場合に、画素電極８のスリット８ａのＢ方向の中心と、カラーフィルタ９の
段差状の境界部９ｃのＢ方向の中心とが互いに一致している。
【００４５】
なお、第１実施形態の変形例のその他の構成は、図１に示した第１実施形態の構成と同
様である。
【００４６】
第１実施形態の変形例では、上記のように構成することによって、上記第１実施形態と
同様、カラーフィルタ９の境界部９ｃに対応する領域に液晶分子を駆動するような電界が
発生するのを抑制することができるので、液晶表示装置の表示品位が低下するのを抑制す
ることが可能となる。
【００４７】
また、第１実施形態の変形例では、上記のように、平面的に見た場合に、画素電極８の
端部領域よりも内側の領域において、画素電極８のスリット８ａの開口内に、カラーフィ
ルタ９の段差状の境界部９ｃが納まるように構成することによって、平面的に見た場合に
、画素電極８の端部領域よりも内側の領域において、画素電極８のスリット８ａのエッジ
８ｂと、カラーフィルタ９の段差状の境界部９ｃとが互いに重なってしまうのを容易に抑
制することができる。
【００４８】
また、第１実施形態の変形例では、上記のように、画素電極８のスリット８ａのＢ方向
の開口幅Ｗ３を、カラーフィルタ９の段差状の境界部９ｃのＢ方向の幅Ｗ２よりも大きく
することによって、平面的に見た場合に、少なくとも画素電極８の端部領域よりも内側の
領域において、容易に、画素電極８のスリット８ａの開口内に、カラーフィルタ９の段差
状の境界部９ｃを納めることが可能となる。
【００４９】
（第２実施形態）
図６は、本発明の第２実施形態による液晶表示装置に設けられた画素電極（第２電極）
の平面図である。次に、図６を参照して、第２実施形態による液晶表示装置の構造につい
て説明する。
【００５０】
第２実施形態による液晶表示装置では、図６に示すような画素電極（第２電極）１８が
用いられている。なお、第２実施形態による液晶表示装置の画素電極１８以外の部分の構
造は、図１に示した第１実施形態の液晶表示装置の構造と同様である。
【００５１】
第２実施形態の画素電極１８は、液晶層１の液晶分子の配向を制御するためのスリット
１８ａを有している。この画素電極１８のスリット１８ａは、平面的に見て細長状に形成
されているとともに、反射表示領域１０ａに対応する領域および透過表示領域１０ｂに対
応する領域の各々に複数個ずつ配置されている。また、反射表示領域１０ａに対応する領
域および透過表示領域１０ｂに対応する領域の各々に配置された画素電極１８の複数個の
スリット１８ａは、所定数のスリット１８ａをそれぞれ含む２つのスリット群に分類され
ている。そして、反射表示領域１０ａに対応する領域および透過表示領域１０ｂに対応す
る領域の各々において、画素電極１８のスリット１８ａの平面的に見た場合の傾斜方向は
、スリット群間で互いに異なっている。すなわち、反射表示領域１０ａおよび透過表示領
域１０ｂは、それぞれ、マルチドメイン構造となっている。
【００５２】
また、第２実施形態では、上記第１実施形態と同様、平面的に見た場合に、画素電極１
８の端部領域よりも内側の領域（図６中の破線で囲まれている領域）において、画素電極
１８のスリット１８ａのエッジ１８ｂと、カラーフィルタ９の段差状の境界部９ｃとが互
いに重ならないように構成されている。すなわち、第２実施形態では、平面的に見た場合
に、画素電極１８の端部領域よりも内側の領域（図６中の破線で囲まれている領域）にお
いて、画素電極１８のスリット１８ａが形成されていない部分１８ｃ内に、カラーフィル
タ９の段差状の境界部９ｃが納まっている。
【００５３】
第２実施形態では、上記のように、平面的に見た場合に、少なくとも画素電極１８の端
部領域よりも内側の領域において、画素電極１８のスリット１８ａのエッジ１８ｂと、カ
ラーフィルタ９の境界部９ｃとが互いに重ならないように構成することによって、上記第
１実施形態と同様、液晶層１の液晶分子の配向が乱れるという不都合が生じるのを抑制す
ることができるので、液晶表示装置の表示品位が低下するのを抑制することができる。
【００５４】
また、第２実施形態では、上記のように、反射表示領域１０ａおよび透過表示領域１０
ｂの各々をマルチドメイン構造にすることによって、上記第１実施形態よりも視野角を向
上させることができる。
【００５５】
図７は、第２実施形態の変形例による液晶表示装置に設けられた画素電極（第２電極）
の平面図である。図７を参照して、この第２実施形態の変形例による液晶表示装置は、画
素電極１８のスリット１８ａの傾斜方向が上記第２実施形態と異なること以外は、上記第
２実施形態と同様に構成されている。
【００５６】
このように、画素電極１８のスリット１８ａの傾斜方向を上記第２実施形態と異ならせ
たとしても、上記第２実施形態と同様の効果を得ることができる。
【００５７】
（第３実施形態）
図８は、本発明の第３実施形態による液晶表示装置に設けられた画素電極（第２電極）
の平面図である。次に、図８を参照して、第３実施形態による液晶表示装置の構造につい
て説明する。
【００５８】
第３実施形態による液晶表示装置では、図８に示すような画素電極（第２電極）２８が
用いられている。なお、第３実施形態による液晶表示装置の画素電極２８以外の部分の構
造は、図１に示した第１実施形態の液晶表示装置の構造と同様である。
【００５９】
第３実施形態の画素電極２８は、液晶層１の液晶分子の配向を制御するためのスリット
２８ａを複数有している。この画素電極２８の複数のスリット２８ａの各々は、平面的に
見て、細長形状に形成されているとともに、Ａ方向（カラーフィルタ９の段差状の境界部
９ｃが延びる方向）に対して斜めに傾斜している。
【００６０】
そして、第３実施形態では、上記第１実施形態と同様、平面的に見た場合に、画素電極
２８の端部領域よりも内側の領域（図８中の破線で囲まれている領域）において、画素電
極２８のスリット２８ａのエッジ２８ｂと、カラーフィルタ９の段差状の境界部９ｃとが
互いに重ならないように構成されている。すなわち、第３実施形態では、平面的に見た場
合に、画素電極２８の端部領域よりも内側の領域（図８中の破線で囲まれている領域）に
おいて、画素電極２８のスリット２８ａが形成されていない部分２８ｃ内に、カラーフィ
ルタ９の段差状の境界部９ｃが納まっている。
【００６１】
第３実施形態では、上記のように構成することによって、画素電極２８に形成するスリ
ット２８ａをＡ方向（カラーフィルタ９の段差状の境界部９ｃが延びる方向）に対して傾
斜させた場合にも、上記第１実施形態と同様の効果を得ることができる。
【００６２】
（第４実施形態）
図９は、本発明の第４実施形態による液晶表示装置に設けられた画素電極（第２電極）
の平面図である。次に、図９を参照して、第４実施形態による液晶表示装置の構造につい
て説明する。
【００６３】
第４実施形態による液晶表示装置では、図９に示すように、２種類のスリット３８ａお
よび３８ｂを有する画素電極３８が用いられている。なお、画素電極３８は、本発明の「
第２電極」の一例であり、スリット３８ａおよび３８ｂは、それぞれ、本発明の「第１ス
リット」および「第２スリット」の一例である。この第４実施形態による液晶表示装置の
画素電極３８以外の部分の構造は、図１に示した第１実施形態の液晶表示装置の構造と同
様である。
【００６４】
画素電極３８のスリット３８ａは、液晶層１の液晶分子の配向を制御する機能を有して
いるとともに、画素電極３８に複数形成されている。さらに、画素電極３８のスリット３
８ａは、平面的に見て、細長形状に形成されているとともに、Ａ方向（カラーフィルタ９
の段差状の境界部９ｃが延びる方向）に対して斜めに傾斜している。
【００６５】
また、画素電極３８のスリット３８ｂは、画素電極３８に１つだけ形成されているとと
もに、平面的に見てＡ方向（カラーフィルタ９の段差状の境界部９ｃが延びる方向）に沿
って延びる細長形状（長方形状）に形成されている。さらに、画素電極３８のスリット３
８ｂのＢ方向（Ａ方向と直交する方向）の開口幅Ｗ４は、カラーフィルタ９の段差状の境
界部９ｃのＢ方向の幅Ｗ２よりも大きくなっている。
【００６６】
そして、第４実施形態では、平面的に見た場合に、画素電極３８の端部領域よりも内側
の領域（図９中の破線で囲まれている領域）において、画素電極３８のスリット３８ｂの
開口内に、カラーフィルタ９の段差状の境界部９ｃが納まっている。さらに、第４実施形
態では、平面的に見た場合に、画素電極３８のスリット３８ｂのＢ方向の中心と、カラー
フィルタ９の段差状の境界部９ｃのＢ方向の中心とが互いに一致している。
【００６７】
第４実施形態では、上記のように構成することによって、平面的に見た場合に、画素電
極３８の端部領域よりも内側の領域において、画素電極３８のスリット３８ａおよび３８
ｂのエッジと、カラーフィルタ９の境界部９ｃとが互いに重なるのを抑制することが可能
となる。その結果、上記第１実施形態と同様、液晶層１の液晶分子の配向が乱れるという
不都合や、カラーフィルタ９の境界部９ｃから混色された表示光が出射されてしまうとい
う不都合などが生じるのを抑制することができるので、液晶表示装置の表示品位が低下す
るのを抑制することが可能となる。
【００６８】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【図面の簡単な説明】
【００６９】
【図１】本発明の第１実施形態による液晶表示装置の構造を示した断面図である。
【図２】図１に示した第１実施形態による液晶表示装置に設けられた画素電極（第２電極）の平面図である。
【図３】本発明の第１実施形態による液晶表示装置の表示動作を説明するための模式図である。
【図４】本発明の第１実施形態による液晶表示装置の表示動作を説明するための模式図である。
【図５】第１実施形態の変形例による液晶表示装置に設けられた画素電極（第２電極）の平面図である。
【図６】本発明の第２実施形態による液晶表示装置に設けられた画素電極（第２電極）の平面図である。
【図７】第２実施形態の変形例による液晶表示装置に設けられた画素電極（第２電極）の平面図である。
【図８】本発明の第３実施形態による液晶表示装置に設けられた画素電極（第２電極）の平面図である。
【図９】本発明の第４実施形態による液晶表示装置に設けられた画素電極（第２電極）の平面図である。
【図１０】従来の横電界方式を採用した半透過型の液晶表示装置の構造の一例を簡略的に示した断面図である。
【符号の説明】
【００７０】
１  液晶層
１ａ  液晶分子
２  透明基板（第１基板）
３  透明基板（第２基板）
６  共通電極（第１電極）
８、１８、２８、３８  画素電極（第２電極）
８ａ、１８ａ、２８ａ  スリット
８ｂ、１８ｂ、２８ｂ  エッジ
９  カラーフィルタ
９ａ  カラーフィルタ層（第１カラーフィルタ層）
９ｂ  カラーフィルタ層（第２カラーフィルタ層）
９ｃ  境界部
１０ａ  反射表示領域
１０ｂ  透過表示領域
３８ａ  スリット（第１スリット）
３８ｂ  スリット（第２スリット）
【図１】
0005255798.tif 000002
【図２】
0005255798.tif 000003
【図３】
0005255798.tif 000004
【図４】
0005255798.tif 000005
【図５】
0005255798.tif 000006
【図６】
0005255798.tif 000007
【図７】
0005255798.tif 000008
【図８】
0005255798.tif 000009
【図９】
0005255798.tif 000010
【図１０】
0005255798.tif 000011